(57)【要約】【課題】インターネットを介して配信されるカタログから選択して注文されたメガネフレームに正しい度数のレンズを嵌めると共に、各部の調整を行なって提供することが出来るめがねの宅配システムの提供。【解決手段】カタログをインターネットを介して配信すると共にユーザーからの注文を受ける受付センター、注文されたメガネフレームを発注するメーカー、及びユーザーの検眼を行なう為の検眼車を手配する配車センターを有し、そして上記メーカー及び配車センターは受付センターからの指示でコントロールされる。【選択図】        図１
2004309966.tif 000002
【特許請求の範囲】
【請求項１】
インターネットを介して配信されたカタログから選択して注文されたメガネフレームにレンズを嵌めて提供するメガネの宅配システムにおいて、カタログをインターネットを介して配信すると共にユーザーからの注文を受ける受付センター、注文されたメガネフレームを発注するメーカー、及びユーザーの検眼を行なう為の検眼車を手配する配車センターを有し、そして上記メーカー及び配車センターは受付センターからの指示でコントロールされることを特徴とするメガネの宅配システム。
【請求項２】
インターネットを介してカタログを配信し、該カタログから選択して注文されたメガネフレームにレンズを嵌めて提供するメガネの販売方法において、受付センターは上記カタログをインターネットを介して配信すると共にユーザーからの注文を受け、受付センターは注文されたメガネフレームをメーカーに発注し、及びメガネフレームの注文と同時にユーザーから検眼の依頼があった場合には検眼車の手配を配車センターに行い、ユーザーに前以て届けたメガネフレームに所定のレンズを嵌めて提供することを特徴とするメガネの販売方法。
【請求項３】
インターネットを介してカタログを配信し、該カタログから選択して注文されたメガネフレームにレンズを嵌めて提供するメガネの販売方法において、受付センターは上記カタログをインターネットを介して配信すると共にユーザーからの注文を受け、受付センターは注文されたメガネフレームをメーカーに発注し、及びメガネフレームの注文と同時にユーザーから処方箋を所持している旨の連絡があった場合には、検眼車でユーザー側へ出向いて該ユーザーに前以て届けたメガネフレームに所定のレンズを嵌めて提供することを特徴とするメガネの販売方法。
【請求項４】
ユーザーが所持しているメガネのレンズ交換を行なう業務において、受付センターはレンズの交換業務の提供をインターネットを介して配信すると共にユーザーからの注文を受け、受付センターは検眼車の手配を配車センターに行い、ユーザーが所持しているメガネに所定のレンズを嵌め、又必要に応じてユーザーに検眼を行なった上でレンズの交換をすることを特徴とするメガネレンズの交換業務。
【発明の詳細な説明】
【０００１】
【発明の属する技術分野】
本発明はインターネットを利用すると共に、最適に調整されたメガネを提供するメガネの宅配システム及びメガネの販売方法、一方ではユーザーが所持しているメガネレンズを交換する業務に関するものである。
【０００２】
【従来の技術】
従来、メガネを購入する方法は色々あるが、サングラスであれば小売店で自分の好みに合うデザインを選んで購入することが簡単に出来る。しかし近眼や老眼、又乱視といった矯正用メガネを購入する場合には、自分の視力にあったレンズを嵌めることが必要である為に検眼が必要となる。そこで、一般的には小売店へ行く前に眼科医で視力を測定しなくてはならず、この測定結果を基にレンズを購入し、自分の好みに合ったメガネフレームに該レンズが嵌められる。
【０００３】
仕事で忙しい人にとって、眼科医へ出向いて視力を測定してもらうことは煩わしく、さらに測定した視力データーを持ってメガネの小売店へ行くことは面倒である。この為に、新しく開発されたデザインのメガネが気に入っても、煩わしさがあって従来通りのメガネを使用している場合が多い。
【０００４】
最近では、インターネットを利用してメガネを購入することは出来る。この場合、インターネットのパソコン画面上で好みのメガネフレームを選択し、視力データーを送信することで、所定のレンズを該メガネフレームに嵌めて送られてくる。しかし、インターネットを介してメガネを購入する場合、ツルの開き度、ツル先端に挿着されているモダンの屈曲角度、及び鼻当てパットの位置などの調整は行なわれていない。
【０００５】
従って、メガネを掛けた場合にその人の顔にフィットせずしてレンズの焦点が合わず、レンズの度数は正しくても焦点がズレルことで見え難いといった事態になる。特に、近眼と老眼の両機能を発揮する遠近両用メガネの場合には、レンズの焦点が合わないでメガネを掛けるならば、歩く際に足元が不安定となって歩き難い。
【０００６】
【発明が解決しようとする課題】
このように、従来の方法でメガネを購入する場合には上記のごとき問題がある。本発明が解決しようとする課題はこの問題点であり、インターネットを介した販売システムであるが、レンズの度数は勿論のこと、メガネフレームの調整も行って提供することが出来るメガネの宅配システム及び販売方法を提供する。又、一方ではユーザーが所持しているメガネレンズを交換する業務を提供する。
【０００７】
【課題を解決する為の手段】
本発明に係るメガネの宅配システムとは、インターネット介してのカタログ配信と検眼車の手配とで構成される。受付センターはインターネットを介して各種メガネフレームのカタログをホームページに掲載し、顧客は該カタログから好みのメガネフレームを選択することが出来る。選択したメガネフレームはユーザーへ送付され、実際のメガネフレームを確認することが出来る。ここで、気に入らなければ返送することは可能である。
【０００８】
そして、ユーザーはメガネフレームの注文と同時に検眼車を依頼することが出来、該メガネフレームに嵌めるレンズの度数決定は検眼車にて行うことが出来る。検眼車は各地に配属され、送付されたメガネフレームを確認したところで、住所を連絡するならば近くの検眼車が直行し、検眼を行なって所定のレンズを購入したメガネフレームのリムに嵌めることが出来る。検眼車は視力の測定だけでなく、メガネが顔にフィットするように、ツル、モダン、鼻当てパットなどの調整を行なう。又、購入後のアフターサービスも提供することが出来る。
【０００９】
一方、ユーザーが所持しているメガネのレンズ交換を同じように行なうことが出来る。この場合には、メガネフレームの購入は必要ないために、インターネットを介してレンズの注文を行い、検眼車が出向いて検眼を行なうと共に新たなレンズをメガネフレームに嵌めることが出来る。以下、本発明に係る実施例を図面に基づいて詳細に説明する。
【００１０】
【実施例】
図１は本発明に係るメガネ宅配システムの概要を示している。受付センターがあって、該受付センターから各種メガネフレーム及びサングラスを掲載したカタログが配信される。ユーザー（顧客）はインターネットを介して配信されたカタログを閲覧することが出来、好みのメガネフレームがあれば注文することが出来る。受付センターはこの注文を見てメーカーへ発注し、メーカーは注文を受けたメガネフレームをユーザーへ送付する。
【００１１】
ユーザーは送られてきたメガネフレームを確認し、満足しなければ返送することが出来、満足すれば該メガネに嵌めるレンズを購入しなくてはならず、検眼の依頼を行なうことが出来る。この依頼方法は特に限定しないが、電話、又はインターネット、さらには携帯電話のＥメールにて行ない得る。そこで、受付センターは検眼車の配車センターへ連絡し、指定された期日に、所定のユーザーまで検眼に出向くように手配する。
【００１２】
検眼車はその場で検眼し、所定のレンズを加工してメガネフレームのリムに嵌める作業を行う。またメガネが顔にフィットするように各部の調整も行なわれる。インターネット上で注文した商品がサングラスの場合には、検眼を必要としないために検眼車の手配は不要となる。ここで、検眼車は各地域に配置されていて、配車センターからの連絡を受けてユーザーの所へ出向くことになる。
【００１３】
以下、具体例を基に説明する。
図２はインターネットを介して配信している受付センターのホームページを開いた商品カタログを示している。各商品をクリックすればメガネフレームの拡大図が画面に表示される。この拡大図を観て好ましいメガネフレームを選択し、購入商品を決定する。
【００１４】
商品を決定すれば図３に示す画面が表れる。この場合、一度に購入可能なメガネフレームは３種類まで選択することが出来る。ここで、選択したメガネフレームに間違いがないかを再度確認するために、候補商品１，２，３と隣り合って配置されている「画像をみる」ボタンをクリックするならば、該当するメガネフレームの画像が表示される。
【００１５】
そして、選択した候補商品に間違いがないことを確認したところで、「商品確定」ボタンをクリックする。逆に、候補商品が間違っていたり又は変更したい時には「やり直し」ボタンをクリックする。そうすれば前の商品カタログ画面に戻される。さらに、「取り消し」ボタンをクリックすれば、オーダー処理は中止されて最初の画面に戻る。
【００１６】
ところで、「商品確定」ボタンをクリックした場合には、図４に示す画面となる。この画面はユーザーへ確定した商品（メガネフレーム）を送付する為に記入するものであり、ユーザーの名前、性別、生年月日、住所を記入する。そして、メガネフレームに嵌めるレンズが矯正レンズ（度付きレンズ）である場合、既に眼科医で検眼を行なって処方箋を所持している場合、処方箋がなくて検眼を必要とする場合、これらに該当する箇所をクリックする。
【００１７】
そして、「すすむ」ボタンをクリックするならば、図５に示す画面が表れる。この画面は前記画面の必要箇所に入力した事項を確認する為のものであり、間違いがなければ、次へ進むことが出来る。逆に入力にミスがあった場合は、「入力の修正」ボタンをクリックすれば元の図４の画面が表示されて、間違い箇所を直すことが出来る。
【００１８】
そして、正しく入力されたところで「お支払方法の選択」ボタンをクリックすれば図６の画面が表示される。この画面には、クレジットカード、商品代引き、銀行振り込み、コンビニ決済の４通りを選択することが出来る。そこで、ユーザーはこの４通りの支払いのうち都合の良い支払い方法を選択し、該当項目をクリックする。
【００１９】
そして、「注文」のボタンをクリックすれば、正式に注文が成され、受付センターへ送信される。受付センターはこの注文を受けてメーカーへ発注し、メーカーからメガネフレームが届けられる。
【００２０】
ところで、前記図４に示した画面で、「検眼車希望」ボタンをクリックした場合、図７に示す画面が表れる。この画面が検眼車の予約を入力する為のものであり、第１希望と第２希望の２通りの入力を行なう。入力事項は第１希望及び第２希望共に、日時として時間帯及び場所を正確に入力する。又連絡先として電話番号を入力しなくてはならない。
【００２１】
一方、前記図４に示した画面で「処方箋所有」のボタンをクリックした場合にも同一画面が表示される。そして、この表示欄には処方箋に記載されている内容を入力しなくてはならないが、入力項目が分からない場合には入力せずに「送信」ボタンをクリックする。
【００２２】
「検眼車希望」のボタンをクリックして、希望場所及び希望日時を送信すると、指定された場所に検眼車が出向いて検眼を行なう。そして、所定のレンズを加工して前以て届けられたメガネフレームにレンズが嵌められ、又、メガネを掛けた際に顔にフィットするように、ツル、鼻当てパット、及びモダンなどが調整される。
【００２３】
以上述べたように、本発明のメガネの宅配システム及び販売方法は、メガネフレームのカタログをインターネットを介して配信し、このカタログから注文されたメガネフレームを届けると共に、検眼及びメガネの微調整も出向いて行なうものであり、次のような効果を得ることが出来る。
【００２４】
【発明の効果】
本発明に係るメガネの宅配システムは、インターネットを介して配信されたカタログから好みのメガネフレームをユーザーが選択して購入することが出来る。該メガネフレームは後日届けられるが、同時に検眼を依頼することで所定の期日に、所定の場所へ検眼車が出向いて検眼が行なわれる。従って、ユーザーはメガネの購入に際して小売店へ出向く必要はなく、又眼科医へ行くことも必要ない。
【００２５】
さらに、検眼車は単に検眼するだけでなくメガネの微調整を行なって、顔に掛けた際に完全にフィットすることが出来る。本発明は、インターネットと検眼車との組合わせで、ユーザーが出向く煩わしさを解消すると共に、顔にフィットする最適なメガネを提供することが可能である。
【図面の簡単な説明】
【図１】本発明に係るメガネの宅配システム概要。
【図２】インターネットを介して配信されるメガネフレームのカタログ。
【図３】カタログから選択した候補商品を表示する画面。
【図４】ユーザーの名前、住所などを入力する画面。
【図５】入力した名前、住所などの確認画面。
【図６】支払い方法を選択する画面。
【図７】検眼車予約画面。
【図１】
2004309966.tif 000003
【図２】
2004309966.tif 000004
【図３】
2004309966.tif 000005
【図４】
2004309966.tif 000006
【図５】
2004309966.tif 000007
【図６】
2004309966.tif 000008
【図７】
2004309966.tif 000009